(57)【要約】      （修正有）【課題】簡単な構造で組立て及び分解が容易で、且つ丈夫で取扱い性にも優れ、安価に生産可能なかつらスタンド用台座を提供する。【解決手段】かつらスタンドの脚部を着脱自在に装着する装着機構部を上面部４００ａに設けた台座４００であって、装着機構部は、台座上面部４００ａの中心部から外方へ指向するよう溝状に形成されたスタンド受け機構部４１０と、スタンド受け機構部４１０の一端部から外方へ指向するよう湾曲状に切込み形成されたスタンド受け保持スリット部４１０ｃとを具備した構成とした。【選択図】図５
0003205754.tif 000002
【実用新案登録請求の範囲】
【請求項１】
かつらスタンドの脚部を着脱自在に装着する装着機構部を上面部に設けた台座であって、
上記装着機構部は、
上記台座上面部の中心部から外方へ指向するよう溝状に形成されたスタンド受け機構部と、
このスタンド受け機構部の一端部から外方へ指向するよう湾曲状に切込み形成されたスタンド受け保持機構部とを具備することを特徴とするかつらスタンド用台座。
【請求項２】
上記スタンド受け保持機構部の一端部には、鉤状のスリット部が切欠き形成されていることを特徴とする請求項１記載のかつらスタンド用台座。
【請求項３】
上記台座上面部の外周部には切込み部が形成され、
この切込み部に挿脱自在に嵌め込み可能な装着片を形成し、この装着片を上記切込み部に嵌め込み装着すると円筒形、中空円錐台形、角筒形または中空角錐台形のいずれかの形状を呈すガイド部材を設けたことを特徴とする請求項１または請求項２記載のかつらスタンド用台座。
【請求項４】
上記ガイド部材は、上記台座上面部に装着時、内側にて書類等を保持するための書類保持機構部を切込み形成したことを特徴とする請求項３記載のかつらスタンド用台座。
【請求項５】
上記ガイド部材の上部には上記台座に装着時には内方へ指向する複数のリブが形成され、
このリブにあっては、隣接するリブ同士はその側面部が当接しないよう構成されていることを特徴とする請求項３または請求項４記載のかつらスタンド用台座。
【考案の詳細な説明】
【技術分野】
【０００１】
本考案は、組立て及び分解が容易なかつらスタンド用台座、特に簡単な構造で安定してかつらスタンドを保持できて、耐久性に優れる組立て及び分解が容易なかつらスタンド用台座に関する。
【背景技術】
【０００２】
従来、かつらを載置する器具としては、例えば胸像や首像のマネキンがあり、その頭部にかつらを載置するものであった。このものは、特定の場所での展示を主目的とするものであり、形状及び重量も大きく、取扱いを工夫する必要があった。また、一般家庭で用いるには不向きであった。
【０００３】
下記特許文献１には、所定の柱状の形状に組立て可能な本体部と、この本体部の所定の部位に係止されるフランジ部とから構成される紙或いは合成樹脂により成形されたかつら載置用スタンドが開示されている。また、組立て時に少なくとも截頭６角錐になるように少なくとも６本の折り目が形成されており、この折り目により区画される各片のいずれかの片に、組立て時に截頭６角錐に係止し保持させるための保持機構を有するように構成された合成樹脂により成形されたかつら載置用スタンドが開示されている。特許文献１に開示されたかつら載置用スタンドは、マネキン型のものに比べれば、かつらを展示する際のスペースをとらず、搬送・携帯の面では便利ではある。
【０００４】
下記特許文献２には、１枚の反発性を有する樹脂板からなるシートに平行関係にある折り目をｎ個（但しｎ≧５であり、同一直線上または同一直線近傍に位置する折り目は１個とカウントする）形成することにより設けられるｎ＋１個の支柱部と、折り目上に接続機構とを設け、シートの両端に位置する支柱部同士は接続機構を介して接続することにより２枚重ねの状態になり、両端以外の隣接する支柱部同士は接続機構を介して接続することにより２枚重ねの状態になるように構成したかつらスタンドが開示されている。特許文献２に開示されたかつらスタンドは、反発性を有する樹脂シートの厚みを増すことなく強度を確保しつつ安定してかつらを載置でき、組立及び分解が容易となることを意図したものである。
【０００５】
下記特許文献３には、内側中央部分に形成されたウィッグ受け部と、ウィッグ受け部の両端部にて一体的となるよう形成されウィッグ受け部を囲繞するよう設けられた台座部とを具備する１枚の反発性を有する板状のシートであって、台座部にはウィッグ受け部と一体的に形成された部位とは異なる部位に接続機構が設けられ、この接続機構が接続状態にあるときはウィッグ受け部を上方に指向するよう湾曲するように構成したかつらスタンドが開示されている。特許文献３に開示されたかつらスタンドは、反発性を有する板状のシートの厚みを増すことなく強度を確保し、安定してかつらを載置できるとともに、簡単な構造で組立て及び分解が容易で携帯性及び耐久性に優れ、通気性にも優れて毛髪の巻込み防止をも図ることを意図したものである。
【０００６】
下記特許文献４には、組立て時に角錐台状になる反発性を有する樹脂板からなるシートであって、シートに角錐台の角数に対応して形成される複数の折り目部と、折り目部により区画され角錐台の側面を形成する複数の片部と、シート両端部に位置する片部に設けられ組立て時に当該片部同士が重なるよう保持する第一の保持機構部と、片部の長手方向の略中央部位に形成される折り曲げ機構部とを設け、複数の片部はその幅が一方から他方に向かうに従って順に広くまたは狭くなるよう形成した構成のかつらスタンドが開示されている。特許文献４に開示されたかつらスタンドは、簡単な構造でコンパクトであり、持ち運びに便利であるとともにかつらの形態を崩さずに安定してかつらを載置でき、且つ衛生面でも優れるというものである。
【０００７】
下記特許文献５には、上部が曲線状に形成され下部に水平方向に指向する脚片部が形成された支柱片同士を組合せることにより、上部には略半円形状または半楕円状を成すかつら受け部が形成されるとともに、下部には脚片部から成る水平方向に指向する複数の脚部が形成されて組立てられるスタンドが開示されている。特許文献５に開示されたかつらスタンドは、極めて簡単な構造で組立て及び分解が容易で且つ丈夫で取扱い性にも優れる安価に生産可能としたことを特徴とするものである。
【０００８】
下記特許文献６には、かつら等を展示のためにかつら等を保持するかつら保持器を、比較的軽くて硬い紙、アクリルまたはプラスティック等の軽量の部材で構成し、それらの部材の形状を平面として部材を互いに挿入し組立てることによりかつら保持器となるようにし、かつら保持器を使用しない際には必要とする容積を少なくするようにした可搬型かつら展示器具が開示されている。特許文献６に開示されたものは、収納と運搬を経済的にしたことを特徴とするものである。
【０００９】
下記特許文献７には、紙或いはプラスティック等の軽量の部材を使用し、且つかつらを保持する形状として型紙を組合せた形で構成し、人頭形、球状、半球状及び円筒状等開いた状態での水平の断面が円形状になる構造を採用した携帯型かつら保持器が開示されている。特許文献７に開示されたものは、保持器を使用しない場合は型紙を一方向より押し込むことにより、保持器全体が容易に折り畳まれることを可能にして、必要とする容積を最小化し持ち運びを容易にしたことを特徴とするものである。
【先行技術文献】
【特許文献】
【００１０】
【特許文献１】特許第５０１４５３８号公報
【特許文献２】特開２０１２−１７５４６号公報
【特許文献３】実用新案登録第３１８２１５１号公報
【特許文献４】実用新案登録第３１８７２２４号公報
【特許文献５】実用新案登録第３１９６９７３号公報
【特許文献６】実用新案登録第３１６１０５４号公報
【特許文献７】実用新案登録第３１６６６２６号公報
【考案の開示】
【考案が解決しようとする課題】
【００１１】
上述したように従来のかつらを載置する器具は、例えばマネキン式の場合は、形状及び重量も大きく、取扱性や持ち運びの面で問題がある。しかも、高価でもあり、一般家庭で用いるには不向きであった。
【００１２】
特許文献１に開示されたかつら載置用スタンドは、反発性を有する素材を用いるため、各折り目に沿って各片を順に折り曲げていくと、反発力を内包したまま脹らみを有する折り畳み状態になるものである。この折り畳み時のかつら載置用スタンドの大きさは、片の長手方向の長さ及び短手方向の長さ並びに重なり合った片の厚みとなる。このような構造では、設計上及び製造上の自由度が制約されてしまい、種々のバリエーションを生み難く、また取扱い性にも難があるものである。
【００１３】
特許文献２に開示されたかつらスタンドは、しっかりとした構造ではあるが、１枚の反発性を有する樹脂シートを重ね合せるので、やや複雑な構造を呈するものである。
【００１４】
特許文献３に開示されたかつらスタンドは、反発性を有する板状のシートの厚みを増すことなく強度を確保し、安定してかつらを載置できるが、特殊な構造を呈しているものである。
【００１５】
特許文献４に開示されたかつらスタンドは、コンパクトで持ち運びに便利ではあるが、特殊な構造を呈しているものである。
【００１６】
特許文献５に開示されたかつらスタンドは、簡単な構造で組立て及び分解が容易で、且つ丈夫なかつらスタンドである。しかしながら、このものにあっては、支柱片の折り目上に設けられる係合片や係合片受け部の一つは、折り目から左に指向するよう設けられるとともに、他方の係合片や係合片受け部は反対方向の左に指向するよう設けられるようバランスよく構成する必要があるものである。
【００１７】
特許文献６及び特許文献７に開示されたものは、切込みに部材を互いに挿入し切込み同士に生じる圧力を利用しており、耐久性上、使用素材を考慮する必要があるものである。
【００１８】
近時、さらに簡単な構造で且つ軽くて取扱い性に優れるかつらスタンドの提供が要望され続けている。しかしながら、その要望を充分満たすようなものは試行錯誤の状況であるのが実情である。
【００１９】
同様に、組立及び分解が容易で携帯性に優れたかつらスタンドを、堅固に着脱自在に載置可能な携帯性及び耐久性に優れ、組立及び分解が容易なかつらスタンド用収納ケースも求められている。
【００２０】
本発明は斯様な事情を考慮してなされたもので、かつらスタンドを堅固に着脱自在に載置可能とし、耐久性及び携帯性に優れ、組立及び分解が容易なかつらスタンド用台座を提供することを目的とする。
【課題を解決するための手段】
【００２１】
本考案は、上記目的を達成するために以下の通りの構成とすることを特徴とする。
【００２２】
（１）  かつらスタンドの脚部を着脱自在に装着する装着機構部を上面部に設けた台座であって、上記装着機構部は、上記台座上面部の中心部から外方へ指向するよう溝状に形成されたスタンド受け機構部と、このスタンド受け機構部の一端部から外方へ指向するよう湾曲状に切込み形成されたスタンド受け保持機構部とを具備する構成としたことを特徴とする。
【００２３】
（２）  上記（１）の構成にあって、上記スタンド受け保持機構部の一端部には、鉤状のスリット部が切欠き形成されている構成したことを特徴とする。
【００２４】
（３）  上記（１）または（２）の構成にあって、上記台座上面部の外周部には切込み部が形成され、この切込み部に挿脱自在に嵌め込み可能な装着片を形成し、この装着片を上記切込み部に嵌め込み装着すると円筒形、中空円錐台形、角筒形または中空角錐台形のいずれかの形状を呈すガイド部材を設けた構成としたことを特徴とする。
【００２５】
（４）  上記（３）の構成にあって、上記ガイド部材は、上記台座上面部に装着時、内側にて書類等を保持するための書類保持機構部を切込み形成した構成としたことを特徴とする。
【００２６】
（５）  上記（３）または（４）の構成にあって、上記ガイド部材の上部には上記台座に装着時には内方へ指向する複数のリブが形成され、このリブにあっては、隣接するリブ同士はその側面部が当接しないよう構成したことを特徴とする。
【００２７】
上記構成によれば、かつらスタンドを着脱自在に堅固に保持でき、シンプルな構造で組立て及び分解が容易で、耐久性にも優れるかつらスタンド用台座を提供することができるものである。
また、上記構成によれば、シンプルな構造ゆえ取扱い性にも優れ、経済的にも安価に生産可能なかつらスタンドを提供することできるものである。
【００２８】
さらに、上記構成によれば、書類等の保持も可能となり、実用的且つ有用なかつらスタンド用台座を提供することできるものである。
【考案の効果】
【００２９】
本考案によれば、かつらスタンドを堅固に着脱自在に載置可能とし、簡単な構造で組立て及び分解が容易で、且つ耐久性に優れるかつらスタンド用台座を提供できるという効果を奏する。
また、本考案によれば、取扱い性にも優れ、安価に生産することが可能なかつらスタンド用台座を提供できるという実用的効果を奏する。
【図面の簡単な説明】
【００３０】
【図１】本考案の一実施形態に係わるかつらスタンドの組立て前の分解状態の支柱片の平面図である。
【図２】同実施形態に係わり、かつらスタンドの組立て前の分解状態のリング部材（安定部材）の平面図であり、（ａ）は第二のリング部材を、（ｂ）は第一のリング部材を示す図である。
【図３】同実施形態に係わり、かつらスタンドの組立て前の支柱片を中心線に沿って直角に折り曲げた状態の斜視図である。
【図４】同実施形態に係わり、かつらスタンドの組立て後の斜視図である。
【図５】同実施形態に係わり、かつらスタンドが装着される台座部の展開図である。
【図６】同実施形態に係わり、かつらスタンドが装着される台座部の上面部を模式的に示す図であり、（ａ）は上面部に設けられるスタンド受け機構部の構成を模式的に示すものであり、（ｂ）はスタンド受け機構部の湾曲形状の特徴を模式的に示す図である。
【図７】同実施形態に係わり、かつらスタンドが装着される台座部の斜視図である。
【図８】同実施形態に係わり、かつらスタンドが収納されるケース体の展開図である。
【図９】同実施形態に係わり、かつらスタンドが収納されるケース体の斜視図である。
【図１０】同実施形態に係わり、台座部に装着されるガイド部材の平面図である。
【図１１】同実施形態に係わり、台座部にガイド部材を装着する様子を模式的に示す図である。
【図１２】同実施形態に係わり、ガイド部材が装着された台座部へかつらスタンド及びケース体を装着する様子を模式的に示す斜視図である。
【図１３】同実施形態の第１の変形例に係わり、台座部に装着される前のガイド部材の平面図である。
【図１４】同変形例に係わり、台座部にガイド部材を装着する様子を模式的に示す図である。
【図１５】同変形例に係わり、ガイド部材が装着された台座部へかつらスタンド及びケースを装着する様子を模式的に示す斜視図である。
【図１６】同実施形態の第２の変形例に係わり、台座部に装着される前のガイド部材の平面図である。
【図１７】同変形例に係わり、台座部にガイド部材を装着する様子を模式的に示す図である。
【図１８】同変形例に係わり、ガイド部材が装着された台座部へかつらスタンド及びケースを装着する様子を模式的に示す斜視図である。
【図１９】同実施形態の第３の変形例に係わり、台座部に装着される前のガイド部材の平面図である。
【図２０】同変形例に係わり、台座部にガイド部材を装着する様子を模式的に示す図である。
【図２１】同変形例に係わり、ガイド部材が装着された台座部へかつらスタンド及びケースを装着する様子を模式的に示す斜視図である。
【図２２】同実施形態の第４の変形例に係わり、台座部に装着される前のガイド部材の平面図である。
【考案を実施するための形態】
【００３１】
以下本考案の一実施形態につき、図を参照して説明する。
【００３２】
本実施形態に係わるかつらスタンド１００は、図１乃至図４に示すように、例えば厚さ１．０ｍｍ程度の反発性を有し折り曲げると強度が増す性質を有するポリプロピレン（ＰＰ）製の高さＨの２枚の支柱片１１０，１２０同士を組合せることにより、組立てられるものである。
【００３３】
支柱片１１０は中心線Ａ−Ａに対して線対称の形状であり、その上部１１０aは緩やかな湾曲状（略半円形状または半楕円状）に形成され、中央部１１０bの近傍は幅が狭くくびれ状に形成され、下部１１０ｃには水平方向に指向する脚片部１１２，１１２が形成されている。また、支柱片１１０には、中心線Ａ−Ａ上の中央部１１０ｂに一方向に指向する係合片１１４（図１中、右方向）が形成されている。
【００３４】
脚片部１１２は、その上部１１２ａに内方へ指向する切欠き状の切欠き部１１４が形成されている。また、脚片部１１２の下端部１１２ｂは、支柱片１１０の下端部１１０ｄよりも下方へ突出するよう形成されている。
【００３５】
なお、支柱片１１０には、その上部１１０ａから下部１１０ｃにかけて中心線Ａ−Ａ上に折り目１１８が形成されている。而してこの折り目１１８に沿って、中心線Ａ−Ａに対して線対称形状の支柱片左部１１０ｄと支柱片右部１１０ｅは、水平方向に折り曲げ可能となるよう構成されている。
【００３６】
また、支柱片１１０の上部側には、例えば支柱片１１０の最下端部から上方に向かって全体の高さＨの３／４に当たる位置には、切欠き状の第一のリング部材受け部（安定部材受け部）１３２，１３２が形成されている。即ち、支柱片左部１１０ｄ側に一つの第一のリング部材受け部１３２が、支柱片右部１１０ｅ側に一つの第一のリング部材受け部１３２が形成されている。
さらに、リング部材受け部１３２，１３２の上方部位には、切欠き状の第二のリング部材受け部（安定部材受け部）１３４，１３４が形成されている。即ち、支柱片左部１１０ｄ側に一つの第二のリング部材受け部１３４が、支柱片右部１１０ｅ側に一つの第二のリング部材受け部１３４が形成されている。
【００３７】
他方の支柱片１２０は、その外周形状は支柱片１１０と略同じであり、中心線Ｂ−Ｂに対して線対称の形状で、その上部１２０aは緩やかな湾曲状（略半円形状または半楕円状）に形成され、中央部１２０ｂの近傍は幅が狭くくびれ状に形成され、下部１２０ｃには水平方向に指向する脚片部１２２，１２２が形成されている。また、支柱片１２０には、中心線Ｂ−Ｂ上の中央部１２０ｂには、係合片１１４が嵌め込まれて係合するための係合片受け部１２４が形成されている。ここで、係合片受け部１２４は、係合片１１４とは反対方向に指向するよう形成されている（図１中、左方向）。
【００３８】
脚片部１２２は、その上部１２２ａに内方へ指向する切欠き状の切欠き部１２４が形成されている。また、脚片部１２２の下端部１２２ｂは、支柱片１２０の下端部１２０ｄよりも下方へ突出するよう形成されている。
【００３９】
なお、支柱片１２０には、その上部１２０ａから下部１２０ｃにかけて中心線Ｂ−Ｂ上に折り目１２８が形成されている。而してこの折り目１２８に沿って、中心線Ｂ−Ｂに対して線対称形状の支柱片左部１２０ｄと支柱片右部１２０ｅは、水平方向に折り曲げ可能となるよう構成されている。
【００４０】
また、支柱片１２０の上部側には、例えば支柱片１２０の最下端部から上方に向かって全体の高さＨの３／４に当たる位置には、切欠き状の第一のリング部材受け部（安定部材受け部）１３６，１３６が形成されている。即ち、支柱片左部１２０ｄ側に一つの第一のリング部材受け部１３６が、支柱片右部１２０ｅ側に一つの第一のリング部材受け部１３６が形成されている。
さらに、リング部材受け部１３６，１３６の上方部位には、切欠き状の第二のリング部材受け部（安定部材受け部）１３８，１３８が形成されている。即ち、支柱片左部１２０ｄ側に一つの第二のリング部材受け部１３８が、支柱片右部１２０ｅ側に一つの第二のリング部材受け部１３８が形成されている。
【００４１】
而して折り目１１８，１２８介して支柱片１１０，１２０を夫々水平方向に略直角に折り曲げた状態で、係合片１１４を係合片受け部１２４に嵌め込み係合させることにより組立てると、上部が緩やかな湾曲状に形成されたかつら受け部１００ａを構成し、下部は水平方向に指向する四つの脚部１００ｂが形成されるかつらスタンド１００になる。
【００４２】
さて、図２の（ｂ）に示すように、第一のリング部材（安定部材）２００は、内側に嵌合機構部２２０を形成した外観が円形状のＰＰ製の安定部材である。即ち、このリング部材２００は十文字状の溝が穿設され、その十文字上の頂点部分２２０ａ，２２０ａ，２２０ａ，２２０ａがリング部材受け部１３２，１３２，１３６，１３６に嵌合する嵌合機構部２２０を形成している。なお、リング部材２００の形状は外観が楕円形状であってもよい。
【００４３】
図２の（ａ）に示すように、第二のリング部材（安定部材）３００は、内側に嵌合機構部３２０を形成した外観が円形状のＰＰ製の安定部材である。即ち、この第二のリング部材３００は十文字状の溝が穿設され、その十文字上の頂点部分３２０ａ，３２０ａ，３２０ａ，３２０ａがリング部材受け部１３４，１３４，１３８，１３８に嵌合する嵌合機構部３２０を形成している。なお、この第二のリング部材３００の形状は外観が楕円形状であってもよい。
【００４４】
而して折り目１１８，１２８を介して支柱片１１０，１２０を夫々水平方向に略直角に折り曲げた状態で、係合片１１４を係合片受け部１２４に嵌め込み係合させる。そして、係合状態で組立てられた支柱片１１０，１２０の第一のリング部材受け部１３２，１３２，１３６，１３６に第一のリング部材２００の嵌合機構部２２０を嵌め込む、即ち十文字上の頂点部分２２０ａを夫々嵌め込む。続いて、支柱片１１０，１２０の第二のリング部材受け部１３４，１３４，１３８，１３８に第二のリング部材３００の嵌合機構部３２０を嵌め込めば、即ち十文字上の頂点部分３２０ａを夫々嵌め込めば、上部が緩やかな曲線状に形成されたかつら受け部１００ａを構成し、下部は水平方向に指向する四つの脚部１００ｂが形成されるかつらスタンド１００になる。
【００４５】
次に、かつらスタンド１００を着脱自在に装着する台座部（台座）４００を図５乃至図７を参照して説明する。
【００４６】
台座部４００は例えば厚さ１．０ｍｍ程度の１枚のＰＰ製の樹脂板から形成されており、六角形状の上面部４００ａ、脚部１００ｂの高さより数ｍｍ程度低い高さ（短辺部分）である夫々５個の内側面部４００ｂと外側面部４００ｃ、上面部４００ａと同様の六角形状の底面部４００ｄ、及び内側面部４００ｂや外側面部４００ｃと同様に側面部として機能するとともに上面部４００ａと底面部４００ｄとを繋ぐよう機能する側面蝶番部４００ｅとからなる。ここで、台座部４００の高さを脚部１００ｂの高さよりも数ｍｍ低くしているのは、かつらスタンド１００と台座部４００を装着した際、台座部４００の上面部４００ａが少し盛り上がり、かつらスタンド１００を押さえつける力が発生することにより、かつらスタンド１００の安定載置の向上を意図して構成したものである。
【００４７】
さて、上面部４００ａには、スタンド受け機構部及びスタンド受け保持機構部を有する装着機構部が設けられている。即ち、スタンド受け機構部４１０、スタンド受けスリット部４１０ａ、スタンド受けロック溝受け部４１０ｂ、スタンド受け保持スリット部４１０ｃ（スタンド受け保持機構部）及びスタンド受け保持スリット端部４１０ｄを有する装着機構部が設けられている。
而してスタンド受け機構部４１０には、スタンド受けスリット部４１０ａ、スタンド受けロック溝受け部４１０ｂ、スタンド受け保持スリット部４１０ｃ及びスタンド受け保持スリット端部４１０ｄが形成され、脚部１００ｂを着脱自在に装着するよう構成されている。ここで、脚部１００ｂを装着するスタンド受け機構部４１０の端部に設けられた幅の狭いスタンド受け保持スリット部４１０ｃは、直線状ではなく湾曲状態に形成されており、脚部１００ｂが差し込まれる際にスタンド受け保持スリット部４１０ｃが拡がるよう形成され、またスタンドが容易には抜けないよう安定して堅固に装着できるよう機能するものである。また、切欠き部１１４，１２４がスタンド受け保持スリット部４１０ｃに差し込まれて鉤状の切欠き形状を有するスタンド受け保持スリット端部４１０ｄに係合するよう構成されている。このように切欠き形状の先端部分を鉤状にすることにより、かつらスタンド１００を台座部４００に装着した際に当該切欠き形状が裂けるのを防止するとともにスタンドが抜け難くするよう機能するものでもある。また、このように構成することで、薄い素材のスタンドも確実且つ安定して堅固に装着が可能となるものである。なお、切込みの幅は、脚部１００ｂの先端の幅を考慮して形成してある。さらに、上面部４００ａの外周部近傍には、６個の装着用つめ片受け部４２０とガイド部材用装着用つめ片受け部４２２が形成されている。
【００４８】
内側面部４００ｂのうち、側面蝶番部４００ｅと接する２個の内側面部４００ｂ，４００ｂ及び側面蝶番部４００ｅの平行関係にある内側面部４００ｂは、他の２個の内側面部４００ｂとは構成が異なり、内側面ホック用リブ４３０が側面ホック４４０を設けた側面ホック台座部４５０の両側に位置することにより構成されている。
【００４９】
各外側面部４００ｃには、外側面つめ４６０と外側面つめロック部４７０が形成されている。
【００５０】
底面部４００ｄと前記他の２個の内側面部４００ｂとが繋がる部位には、内側面つめ受け部４８０が形成されている。また、底面部４００ｄと前記側面蝶番部４００ｅと接する２個の内側面部４００ｂ，４００ｂ及び側面蝶番部４００ｅと平行関係にある内側面部４００ｂとが繋がる部位には、内側面ホック用リブロック部４９０が形成されている。
【００５１】
続いて、台座部４００に着脱自在に装着されるケース体５００について、図８及び図９を参照して説明する。
【００５２】
ケース体５００は１枚のＰＰ製の樹脂板から形成されており、六角形状の上蓋５０１及び下蓋５０２、６個の長方形状の側面部５０３と、この側面部５０３を溶着する溶着部５０４とからなる。
【００５３】
上蓋５０１には、側面部５０３とは繋がっていない外周部位に１個の上蓋正面つめ５０５と４個の上蓋つめ５０６が形成されている。そして、各上蓋つめ５０６の両側には、上蓋つめロック部５０７が形成されている。また、上蓋５０１には、上蓋ハンドル用穴部５０８が２個穿説されている。
【００５４】
下蓋５０２には、側面部５０３とは繋がっていない外周部位に４個の下蓋つめガイド部５０９が形成されている。また、下蓋５０２には、下蓋正面つけ受け部５１０と、２個の下蓋ハンドル用穴部５１１が穿説されている。
【００５５】
上蓋５０１または下蓋５０２とは繋がってない４個の側面部５０３夫々には、側面上リブ５１２と側面上リブ蓋つめ受け部５１３が形成されている。また、３個の側面部５０３（図８中、左から１個目、３個目、５個目に位置する側面部５０３）には、側面台座ホックガイド部５１４が形成されている。さらに各側面台座ホックガイド部５１４の上方には側面ホック５１５が設けられている。
【００５６】
而して溶着部５０４は、一端に位置する側面部５０３（図８中、右端に位置する側面部５０３）に繋がっており、他端に位置する側面部５０３（図８中、左端に位置する側面部５０３）の内側面にて溶着するよう構成されている。溶着部５０４が側面部５０３の内側にて溶着すると、六角柱状のケース体５００となる。なお、ケース体５００の上部には、両端部が上蓋ハンドル用穴部５０８と下蓋ハンドル用穴部５１１にて留められるハンドル５１６が着脱可能に設けられる。
【００５７】
さて、台座部４００に着脱自在に装着されるガイド部材６００について、図１０及び図１１を参照して説明する。
【００５８】
ガイド部材６００は、１枚のＰＰ製の樹脂板から形成されており、横長形状で一端部６００ａに接続用の係合つめ片６０２が、他端部６００ｂに係合つめ片６０２が挿し込まれる係合つめ片受け部６０４が形成されている。而して係合つめ片６０２を係合つめ片受け部６０４に挿し込むと、ガイド部材６００は円筒状を呈する。この状態に於けるガイド部材６００の内周側の底面部の面積は、台座部４００の上面部４００ａの面積より小さくなるようガイド部材６００は構成されている。
【００５９】
また、ガイド部材６００には、台座部４００の上面部４００ａに着脱自在に装着するための装着用つめ片６０６が等間隔にて全部で６個形成されている。そして、装着用つめ片６０６をガイド部材用装着用つめ片受け部４２２に挿し込むことにより、ガイド部材６００が台座部４００に着脱自在に装着されるよう構成されている。
【００６０】
上記構成につき、その作用を以下に述べる。
【００６１】
かつらスタンド１００の組立ては、先ず、支柱片１１０を折り目１１８に沿って水平方向に直角に折り曲げる。同様に、支柱片１２０を折り目１２８に沿って水平方向に直角に折り曲げる。次に、係合片１１４を係合片受け部１２４に嵌め込み係合させと、上部が湾曲形状を呈し、下部には水平方向に指向する四つの脚部１００ｂが形成される。
【００６２】
この後、第一のリング部材受け部１３２，１３６に第一のリング部材２００の嵌合機構部２２０を嵌め込むことにより、第一のリング部材２００を装着する。続いて、第二のリング部材受け部１３４，１３８に第二のリング部材３００の嵌合機構部３２０を嵌め込むことにより、第二のリング部材３００を装着する。而して、上部にかつら受け部１００ａが形成されて、かつらスタンド１００が組立てられることになる。
【００６３】
斯様にして組立てられたかつらスタンド１００は、着脱自在に装着可能な台座部４００に取付けられる。
【００６４】
ここで、台座部４００には、ガイド部材６００が着脱自在に装着されている。即ち、係合つめ片６０２を係合爪片受け部６０４に挿し込み円形状を呈すガイド部材６００を、台座部４００の上面部４００ａに対し、装着用つめ片６０６をガイド部材用装着用つめ片受け部４２２に挿し込むことにより（図１１中、矢印Ｅ１乃至Ｅ６方向へ）、ガイド部材６００が台座部４００に着脱自在に装着される。
【００６５】
而して、かつらスタンド１００の脚部１００ｂを台座部４００のスタンド受け機構部４１０に挿し込むことにより（図１２参照）、かつらスタンド１００は台座部４００に取付けられることになる。
【００６６】
台座部４００は、上面及び側面を有する箱構造であるため、強度が高く変形し難いうえ、かつらスタンド１００の形状を安定させることができる。加えて、台座部の上面部４００ａにかつらスタンド本体の放射状の下端部（脚部１００ｂ）を挿し込んで堅固に保持固定できるスタンド受け機構部４１０を有するので、かつらスタンド１００を容易に着脱自在に台座部４００に取付け固定することができる。
また、スタンド受け機構部４１０の端部には、幅の狭いスタンド受け保持スリット部４１０ｃが湾曲して設けられているので、かつらスタンド１００の脚部１００ｂ（即ち脚片部１１２，１１２，１２２，１２２）に設けられた切欠き部１１４，１１４，１２４，１２４がスタンド受け保持スリット部４１０ｃに係合して固定し易い。しかも、スタンド受け保持スリット端部４１０ｄには鉤状の切欠きが形成されており、かつらスタンド１００を挿し込む際に、スタンド受け保持スリット部４１０ｃが拡がるので、かつらスタンド１００の下端部を差し込み易いものである。
【００６７】
台座部４００に取付けられたかつらスタンド１００は、図１２に示すようにケース体５００を装着して、ケース体５００に収納すれば運搬や保管に寄与することとなる。即ち、ケース体５００の側面ホック５１５を台座部４００の側面ホック４４０に留めることにより、ケース体５００は台座部４００と一体となり、かつらスタンド１００の運搬や保管に寄与することとなる。
【００６８】
ケース体５００を台座部４００に取付ける際、ガイド部材６００がケース体５００をガイドするよう機能する。また、ガイド部材６００は、かつら受け部１００ａに載置されるかつらの髪の毛を、ケース体５００からはみ出ないよう髪の毛を内側に指向するようガイドするものでもある。
【００６９】
組立てられたかつらスタンド１００を分解する場合は、先ず、ケース体５００の側面ホック５１５と台座部４００の側面ホック４４０とが留められた状態を解除し、ケース体５００を台座部４００から取り外す。次に台座部４００に取付けられたかつらスタンド１００を上方に引張りあげるようにして引き抜くと、かつらスタンド１００は台座部４００から取り外せる。
【００７０】
次に、第二のリング部材受け部１３４，１３８と嵌合機構部３２０との嵌合状態を解除して第二のリング部材３００を取外す。続いて、第一のリング部材受け部１３２，１３６と嵌合機構部２２０との嵌合状態を解除して第一のリング部材２００を外す。
【００７１】
この後、係合片１１４と係合片受け部１２４の係合状態を解除すべく、係合片１１４を係合片受け部１２４から引き抜き、支柱片１１０と支柱片１２０とを離間すれば分解終了となる。
【００７２】
上記実施形態によれば、簡単な構造で組立て及び分解が容易でコンパクト且つ携帯性及び耐久性に優れるかつらスタンド用台座を提供できるものである。しかも、かつらスタンドを着脱自在に堅固に安定して保持することができるものである。
また、上記実施形態によれば、シンプルな構造ゆえ取扱い性にも優れ、経済的にも安価に生産可能なかつらスタンド用台座を提供できるものである。
【００７３】
さらに、上記実施形態によれば、書類等の保持も可能となり、利便性に優れ、実用的且つ有用なかつらスタンド用台座を提供できるものである。
【００７４】
なお、本考案は上記実施形態に限定されることなく、例えばシートの厚さは１．０ｍｍ程度に限定されるものではない。また、シートは樹脂製でなくとも丈夫な素材であればよい。即ち、本実施形態では厚さは１．０ｍｍ程度としたが、厚さはこれに限定されず、一般的に考えられている０．５ｍｍ〜１．２ｍｍの範囲内で或いはこの範囲外であったとしても、材質や構造に応じた相応しい厚みにしてもよいことは勿論である。
【００７５】
さて、上記実施形態の変形例（第１の変形例）を、主に図１３乃至図１５を参照して以下に述べる。なお、上記実施形態と同一部分及び／または同一機能については、同一番号・記号を付して説明は省略する。
【００７６】
この変形例では、台座部４００に着脱自在に装着されるガイド６２０の構造に特徴を有する。
【００７７】
ガイド部材６２０は、１枚のＰＰ製の樹脂板から形成されており、湾曲した横長形状であり、その一端部６２０ａに接続用の係合つめ片６２２が、他端部６２０ｂに係合つめ片６２２が挿し込まれる係合つめ片受け部６２４が形成されている。而して係合つめ片６２２を係合つめ片受け部６２４に挿し込むと、ガイド部材６２０は中空円錐台の形状を呈する。この状態に於けるガイド部材６２０の内周側の底面部の面積は、台座部４００の上面部４００ａの面積より小さくなるようガイド部材６２０は構成されている。
【００７８】
また、ガイド部材６２０には、台座部４００の上面部４００ａに着脱自在に装着するための装着用つめ片６２６が等間隔にて全部で６個形成されている。そして、装着用つめ片６２６をガイド部材用装着用つめ片受け部４２２に挿し込むことにより、ガイド部材６２０が台座部４００に着脱自在に装着されるよう構成されている。
【００７９】
本変形例では、台座部４００に装着されるガイド部材６２０が中空円錐台の形状を呈するので、かつら受け部１００ａに載置されるかつらの髪の毛をケース体５００からはみ出ないよう髪の毛を内側に指向するようガイドする機能の他、ケース体５００を台座部４００に装着し易いようガイドする機能をも有するものである。
【００８０】
上記実施形態の他の変形例（第２の変形例）、主に図１６乃至図１８を参照して以下に述べる。なお、上記実施形態と同一部分及び／または同一機能については、同一番号・記号を付して説明は省略する。
【００８１】
この変形例では、台座部４００に着脱自在に装着されるガイド部材６４０の構造に特徴を有する。
【００８２】
ガイド部材６４０は、１枚のＰＰ製の樹脂板から形成されており、６個のガイド側面部６４１と、１個のガイド側面溶着部６４２を有する。このガイド側面溶着部６４２は、図１６中、左端に位置するガイド側面部６４１の裏面側の溶着部６４４に溶着されて、台座部４００の上面部４００ａと同形の６角形状を呈するよう構成されている。
【００８３】
各ガイド側面部６４１には、その下部に装着用つめ片６４６を形成し、その上部に内方へ指向するガイド上部リブ６４８を形成している。そして、装着用つめ片６４６を装着用つめ片受け部４２０に挿し込むことにより、ガイド部材６４０が台座部４００に着脱自在に装着されるよう構成されている。また、各ガイド上部リブ６４８の両端部には切込み６４８ａが形成されている。この切込み６４８ａは、ガイド部材６４０が装着された台座部４００へのケース５００の装着時に、ケース５００の角が当たらず円滑に装着できるよう機能するためのものである。
【００８４】
本変形例では、ガイド上部リブ６４８は中央部位が低くなる谷形に形成してある。しかし、中央部位が高くなる山形に形成してもよいし、その他の形状にしてもよいことは勿論である。
【００８５】
上記実施形態のさらなる変形例（第３の変形例）を、主に図１９乃至図２１を参照して以下に述べる。なお、上記実施形態と同一部分及び／または同一機能については、同一番号・記号を付して説明は省略する。
【００８６】
この変形例では、台座部４００に着脱自在に装着されるガイド部材６４０の構造に特徴を有する。
【００８７】
ガイド部材６４０は、１枚のＰＰ製の樹脂板から形成されており、６個のガイド側面部６４１と、１個のガイド側面溶着部６４２を有する。このガイド側面溶着部６４２は、図１９中、左端に位置するガイド側面部６４１の裏面側の溶着部６４４に溶着されて、台座部４００の上面部４００ａと同形の６角形状を呈するよう構成されている。
【００８８】
各ガイド側面部６４１には、その下部に装着用つめ片６４６を形成し、その上部に内方へ指向するガイド上部リブ６４８を形成している。そして、装着用つめ片６４６を装着用つめ片受け部４２０に挿し込むことにより、ガイド部材６４０が台座部４００に着脱自在に装着されるよう構成されている。また、各ガイド上部リブ６４８の両端部には切込み６４８ａが形成されている。この切込み６４８ａは、ガイド部材６４０が装着された台座部４００へのケース５００の装着時に、ケース５００の角が当たらず円滑に装着できるよう機能するためのものである。
【００８９】
ガイド部材６４０には、例えば簡単な取扱い説明書等の書類Ｘを保持するための保持機構部６５０が設けられている。即ち、保持機構部６５０は、ガイド側面部６４１からガイド上部リブ６４８にかけて二つの切込み６５２，６５４を形成することで構成される。例えば、図１９中、右から２番目と３番目のガイド側面部６４１，６４１及びガイド上部リブ６４８，６４８に夫々一つずつ切込み６５２，６５４を形成すればよい。而してこの切込み６５２，６５４に書類を把持させればよい（図２１参照）。
【００９０】
本変形例では、ガイド上部リブ６４８は中央部位が低くなる谷形に形成してある。しかし、中央部位が高くなる山形に形成してもよいし、その他の形状にしてもよいことは勿論である。
【００９１】
上記実施形態のさらなる変形例（第４の変形例）を、主に図１９及び図２２を参照して以下に述べる。なお、上記実施形態及び変形例と同一部分及び／または同一機能については、同一番号・記号を付して説明は省略する。
【００９２】
この変形例では、台座部４００に着脱自在に装着されるガイド部材６４０の保持機構部の形成位置に特徴を有する。
【００９３】
ガイド部材６４０は、１枚のＰＰ製の樹脂板から形成されており、６個のガイド側面部６４１と、１個のガイド側面溶着部６４２を有する。このガイド側面溶着部６４２は、図１９中、左端に位置するガイド側面部６４１の裏面側の溶着部６４４に溶着されて、台座部４００の上面部４００ａと同形の６角形状を呈するよう構成されている。
【００９４】
各ガイド側面部６４１には、その下部に装着用つめ片６４６を形成し、その上部に内方へ指向するガイド上部リブ６４８を形成している。そして、装着用つめ片６４６を装着用つめ片受け部４２０に挿し込むことにより、ガイド部材６４０が台座部４００に着脱自在に装着されるよう構成されている。また、各ガイド上部リブ６４８の両端部には切込み６４８ａが形成されている。この切込み６４８ａは、ガイド部材６４０が装着された台座部４００へのケース５００の装着時に、ケース５００の角が当たらず円滑に装着できるよう機能するためのものである。
【００９５】
ガイド部材６４０には、例えば簡単な取扱い説明書等の書類Ｘを保持するための保持機構部６６０が設けられている。即ち、保持機構部６６０は、ガイド側面部６４１に二つの切込み６６２，６６４を形成することで構成される。例えば、図１９中、右から２番目と３番目のガイド側面部６４１，６４１に夫々一つずつ切込み６６２，６６４を形成すればよい。而してこの切込み６６２，６６４に書類を把持させればよい。
【００９６】
本変形例では、ガイド上部リブ６４８は中央部位が低くなる谷形に形成してある。しかし、中央部位が高くなる山形に形成してもよいし、その他の形状にしてもよいことは勿論である。
また、保持機構部が形成される位置も上記変形例に限定されることはなく、適宜変更してもよいことは勿論である。
【００９７】
本考案は上記実施形態に限定されることなく、その趣旨を逸脱しない限り種々の変形が可能なことは勿論である。
【産業上の利用可能性】
【００９８】
本考案のかつらスタンド用台座は、従来に比べて著しくシンプルな構造でコンパクトなスタンドを実現することができ、しかも、組立て分解性及び携帯性に優れ且つ製造コストを低減することができるので、かつらや帽子などの変形し易い物だけでなく、様々な対象物のスタンド用の台座として使用することができるため、ますます市場の拡大が期待できものである。
【符号の説明】
【００９９】
１００                    …かつらスタンド
１００ａ                  …かつら受け部
１００ｂ                  …脚部
１１０，１２０            …支柱片
１１０ｄ，１２０ｄ        …支柱片左部
１１０ｅ，１２０ｅ        …支柱片右部
１１２，１２２            …脚片部
１１４                    …係合片
１１８，１２８            …折り目
１２４                    …係合片受け部
１５０，１７０，１８０    …補助部材
２２０，３２０            …嵌合機構部
４００                    …台座部
４００ａ                  …上面部
４１０                    …スタンド受け機構部
４１０ａ                  …スタンド受けスリット部
４１０ｂ                  …スタンド受けロック溝受け部
４１０ｄ                  …スタンド受け保持スリット端部
５００                    …ケース体
６００，６２０，６４０    …ガイド部材
【図１】
0003205754.tif 000003
【図２】
0003205754.tif 000004
【図３】
0003205754.tif 000005
【図４】
0003205754.tif 000006
【図５】
0003205754.tif 000007
【図６】
0003205754.tif 000008
【図７】
0003205754.tif 000009
【図８】
0003205754.tif 000010
【図９】
0003205754.tif 000011
【図１０】
0003205754.tif 000012
【図１１】
0003205754.tif 000013
【図１２】
0003205754.tif 000014
【図１３】
0003205754.tif 000015
【図１４】
0003205754.tif 000016
【図１５】
0003205754.tif 000017
【図１６】
0003205754.tif 000018
【図１７】
0003205754.tif 000019
【図１８】
0003205754.tif 000020
【図１９】
0003205754.tif 000021
【図２０】
0003205754.tif 000022
【図２１】
0003205754.tif 000023
【図２２】
0003205754.tif 000024